【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
パッケージを作製する方法であって、前記方法は、
接続されたバッグのウェブをバッグの開口部が係合デバイスより下にある位置まで前進させることと、
前記係合デバイスを開放することと、
前記バッグの前記開口部に、部分的に開放された構成になるまで送風することと、
前記係合デバイスの一部が前記バッグの内側に配置され、前記係合デバイスの一部が前記バッグの外側に配置されるように、前記接続されたバッグのウェブを逆送りすることと、
前記係合デバイスが前記バッグに係合するように、前記係合デバイスを閉鎖することと、
前記係合デバイスを前記バッグの前記開口部が長方形形状を有することをもたらす位置まで移動させることと
を含む、方法。
【請求項２】
製品を前記バッグの中に装填することをさらに含む、請求項１に記載の方法。
【請求項３】
前記係合デバイスを移動させることにより、前記バッグの前記開口部を閉鎖し、前記バッグを前記開口部のいたる所で緊張状態に維持することと、前記バッグの前記開口部をシールすることとをさらに含む、請求項２に記載の方法。
【請求項４】
前記係合デバイスが前記バッグに係合した後、前記接続されたバッグのウェブを逆送りし、前記バッグを前記バッグ内に装填された製品とともに前記接続されたバッグのウェブから除去することをさらに含む、請求項２に記載の方法。
【請求項５】
前記係合デバイスの移動は、前記バッグの前記開口部が少なくとも６インチ×６インチの長方形形状を有することをもたらす、請求項１に記載の方法。
【請求項６】
パッケージを作製する方法であって、前記方法は、
接続されたバッグのウェブをバッグの開口部が複数の対のグリッパより下にある位置まで前進させることと、
前記対のグリッパの各々を開放することと、
前記バッグの前記開口部に、部分的に開放された構成になるまで送風することと、
前記対のグリッパの各々のうちの１つのグリッパが前記バッグの内側に配置されるように、前記接続されたバッグのウェブを逆送りすることと、
前記対のグリッパが前記バッグに係合するように、前記対のグリッパの各々を閉鎖することと、
前記対のグリッパのうちの少なくとも１つを前記バッグの前記開口部が長方形形状を有することをもたらす位置まで移動させることと
を含む、方法。
【請求項７】
製品を前記バッグの中に装填することをさらに含む、請求項６に記載の方法。
【請求項８】
前記対のグリッパのうちの少なくとも１つを移動させることにより、前記バッグの前記開口部を閉鎖し、前記バッグを前記開口部のいたる所で緊張状態に維持することと、前記バッグの前記開口部をシールすることとをさらに含む、請求項７に記載の方法。
【請求項９】
前記対のグリッパが前記バッグに係合した後、前記接続されたバッグのウェブを逆送りし、前記バッグを前記バッグ内に装填された製品とともに前記接続されたバッグのウェブから除去することをさらに含む、請求項６に記載の方法。
【請求項１０】
前記少なくとも１つの対のグリッパの移動は、前記バッグの前記開口部が少なくとも６インチ×６インチの長方形形状を有することをもたらす、請求項６に記載の方法。
【請求項１１】
前記複数の対のグリッパは、第１の対のグリッパと、第２の対のグリッパと、第３の対のグリッパと、第４の対のグリッパとを備えている、請求項６に記載の方法。
【請求項１２】
前記第１の対のグリッパおよび前記第２の対のグリッパは、前記バッグの第１の層に係合する、請求項１１に記載の方法。
【請求項１３】
前記第３の対のグリッパは、前記バッグの第１の側縁に係合し、前記第４の対のグリッパは、前記バッグの第２の側縁に係合する、請求項１１に記載の方法。
【請求項１４】
パッケージを作製するための装置であって、前記装置は、
接続されたバッグのウェブを受け取るように構成されている送り出し機構と、
空気をバッグの開口部の中に吹きつけるように構成されている送風機と、
係合デバイスであって、前記係合デバイスは、
前記バッグの第１の層を把持するための第１の対のグリッパと、
前記バッグの前記第１の層を把持するための第２の対のグリッパであって、前記第２の対のグリッパは、前記第１の対のグリッパから間隔を置かれている、第２の対のグリッパと、
前記バッグの第１の側縁を把持するための第３の対のグリッパと、
前記バッグの第２の側縁を把持するための第４の対のグリッパであって、前記第３の対のグリッパおよび第４の対のグリッパは、互いに対して移動可能である、第４の対のグリッパと
を備え、前記対のグリッパの各々が前記バッグを把持しているとき、前記第３および第４の対のグリッパの相互に向かった移動は、前記バッグの前記第１および第２の側縁を相互に向かって移動させることにより、前記バッグの前記開口部を長方形開口部に形作る、係合デバイスと、
前記バッグの前記開口部をシールするように構成されているシール部材と
を備えている、装置。
【請求項１５】
前記第１の対のグリッパおよび前記第２の対のグリッパは、前記シール部材に取り付けられている、請求項１４に記載の装置。
【請求項１６】
前記第１の対のグリッパと前記第２の対のグリッパとの間の空間は、調節可能である、請求項１４に記載の装置。
【請求項１７】
前記第３の対のグリッパおよび前記第４の対のグリッパは、スロット内を移動可能である、請求項１４に記載の装置。
【手続補正２】
【補正対象書類名】明細書
【補正対象項目名】０００７
【補正方法】変更
【補正の内容】
【０００７】
例示的パッケージを作製するための装置は、送り出し機構と、送風機と、係合デバイスと、シール部材とを含む。送り出し機構は、接続されたバッグのウェブを受け取るように構成される。送風機は、空気をバッグの開口部の中に吹きつけるように構成される。係合デバイスは、第１の対のグリッパと、第２の対のグリッパと、第３の対のグリッパと、第４の対のグリッパとを有する。第２の対のグリッパは、第１の対のグリッパから間隔を置かれ、第３の対および第４の対のグリッパは、互いに対して移動可能である。第１、第２、第３、および第４の対のグリッパの各々は、開放位置と閉鎖位置との両方に移動可能である。シール部材は、バッグの開口部をシールするように構成される。
本発明は、例えば、以下を提供する。
（項目１）
パッケージを作製する方法であって、前記方法は、
接続されたバッグのウェブをバッグの開口部が係合デバイスより下にある位置まで前進させることと、
前記係合デバイスを開放することと、
前記バッグの前記開口部に部分的に開放された構成になるまで送風することと、
前記係合デバイスの一部が前記バッグの内側に配置され、前記係合デバイスの一部が前記バッグの外側に配置されるように、前記接続されたバッグのウェブを逆送りすることと、
前記係合デバイスが前記バッグに係合するように、前記係合デバイスを閉鎖することと、
前記係合デバイスを前記バッグの前記開口部が長方形形状有することをもたらす位置まで移動させることと
を含む、方法。
（項目２）
製品を前記バッグの中に装填することをさらに含む、項目１に記載の方法。
（項目３）
前記係合デバイスを移動させることにより、前記バッグの前記開口部を閉鎖し、前記バッグを前記開口部のいたる所で緊張状態に維持することと、前記バッグの前記開口部をシールすることとをさらに含む、項目２に記載の方法。
（項目４）
前記係合デバイスが前記バッグに係合された後、前記接続されたバッグのウェブを逆送りし、前記バッグを前記バッグ内に装填された製品とともに前記接続されたバッグのウェブから除去することをさらに含む、項目２に記載の方法。
（項目５）
前記係合デバイスの移動は、前記バッグの前記開口部が少なくとも６インチ×６インチの長方形形状を有することをもたらす、項目１に記載の方法。
（項目６）
パッケージを作製する方法であって、前記方法は、
接続されたバッグのウェブをバッグの開口部が複数の対のグリッパより下にある位置まで前進させることと、
前記対のグリッパの各々を開放することと、
前記バッグの前記開口部に部分的に開放された構成になるまで送風することと、
前記対のグリッパの各々のうちの１つのグリッパが前記バッグの内側に配置されるように、前記接続されたバッグのウェブを逆送りすることと、
前記対のグリッパが前記バッグに係合するように、前記対のグリッパの各々を閉鎖することと、
前記対のグリッパのうちの少なくとも１つを前記バッグの前記開口部が長方形形状有することをもたらす位置まで移動させることと
を含む、方法。
（項目７）
製品を前記バッグの中に装填することをさらに含む、項目６に記載の方法。
（項目８）
前記対のグリッパのうちの少なくとも１つを移動させることにより、前記バッグの前記開口部を閉鎖し、前記バッグを前記開口部のいたる所で緊張状態に維持することと、前記バッグの前記開口部をシールすることとをさらに含む、項目７に記載の方法。
（項目９）
前記対のグリッパが前記バッグに係合された後、前記接続されたバッグのウェブを逆送りし、前記バッグを前記バッグ内に装填された製品とともに前記接続されたバッグのウェブから除去することをさらに含む、項目６に記載の方法。
（項目１０）
前記少なくとも１つの対のグリッパの移動は、前記バッグの前記開口部が少なくとも６インチ×６インチの長方形形状を有することをもたらす、項目６に記載の方法。
（項目１１）
前記複数の対のグリッパは、第１の対のグリッパと、第２の対のグリッパと、第３の対のグリッパと、第４の対のグリッパとを備えている、項目６に記載の方法。
（項目１２）
前記第１の対のグリッパおよび前記第２の対のグリッパは、前記バッグの第１の層に係合する、項目１１に記載の方法。
（項目１３）
前記第３の対のグリッパは、前記バッグの第１の側縁に係合し、前記第４の対のグリッパは、前記バッグの第２の側縁に係合する、項目１１に記載の方法。
（項目１４）
パッケージを作製するための装置であって、前記装置は、
接続されたバッグのウェブを受け取るように構成されている送り出し機構と、
空気をバッグの開口部の中に吹きつけるように構成されている送風機と、
係合デバイスであって、前記係合デバイスは、
第１の対のグリッパと、
前記第１の対のグリッパから間隔を置かれている第２の対のグリッパと、
第３の対のグリッパと、
第４の対のグリッパであって、前記第３の対のグリッパおよび第４の対のグリッパは、互いに対して移動可能である、第４の対のグリッパと
を備え、前記第１の対のグリッパ、前記第２の対のグリッパ、前記第３の対のグリッパ、および前記第４の対のグリッパの各々は、開放位置と閉鎖位置との両方に移動可能である、係合デバイスと、
前記バッグの前記開口部をシールするように構成されているシール部材と
を備えている、装置。
（項目１５）
前記第１の対のグリッパおよび前記第２の対のグリッパは、前記シール部材に取り付けられている、項目１４に記載の装置。
（項目１６）
前記第１の対のグリッパと前記第２の対のグリッパとの間の空間は、調節可能である、項目１４に記載の装置。
（項目１７）
前記第１の対のグリッパおよび前記第２の対のグリッパは、前記バッグの第１の層を把持するように構成されている、項目１４に記載の装置。
（項目１８）
前記第３の対のグリッパおよび前記第４の対のグリッパは、スロット内を移動可能である、項目１４に記載の装置。
（項目１９）
前記第３の対のグリッパは、前記バッグの第１の側縁を把持するように構成されている、項目１４に記載の装置。
（項目２０）
前記第４の対のグリッパは、前記バッグの第２の側縁を把持するように構成されている、項目１９に記載の装置。